【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
生理学的反応の一致性に基づくメディアの評価を支持するシステムであって、
前記メディアの複数のイベントを視聴している複数の視聴者それぞれからの生理学的データを測定するよう動作可能な一つ又はそれ以上のセンサと、
一致性モジュールであって、
前記複数のイベントのうちの特定の一つを視聴している前記複数の視聴者それぞれから測定された前記生理学的データに基づいて生理学的反応を導き出し、
前記複数の視聴者からの前記特定の一つのイベントに対する前記生理学的反応の一致性を計算し、
前記複数の視聴者からの前記生理学的反応の前記一致性に基づいて、前記特定の一つのイベント及び／又は前記メディアを評価する
よう動作可能な一致性モジュールと、
を備えるシステム。
【請求項２】
生理学的反応の一致性に基づくメディアの評価を支持するシステムであって、
前記メディアの複数のイベントを視聴している複数の視聴者それぞれから生理学的データを測定するよう動作可能な統合センサ・ヘッドセットと、
一致性モジュールであって、
前記複数のイベントのうちの特定の一つを視聴している前記複数の視聴者それぞれから測定された前記生理学的データに基づいて生理学的反応を導き出し、
前記複数の視聴者からの前記特定の一つのイベントに対する前記生理学的反応の一致性を計算し、
前記複数の視聴者からの前記生理学的反応の前記一致性に基づいて、前記特定の一つのイベント及び／又は前記メディアを評価する
よう動作可能な一致性モジュールと、
を備えるシステム。
【請求項３】
請求項１記載のシステムであって、前記メディアが、映画、ビデオ、テレビ番組、テレビ・コマーシャル、広告、ビデオゲーム、インタラクティブなオンライン・メディア、印刷物、及び視聴者が情報を得たり、感情的に影響を受けたりし得る任意の他のメディアのうちの一つであるシステム。
【請求項４】
請求項１記載のシステムであって、前記メディアの前記複数のイベントそれぞれの時間期間が、時間において不変、非線形又は準線形であるシステム。
【請求項５】
請求項１記載のシステムであって、前記一つ又はそれ以上のセンサのそれぞれが、脳電図、加速度計、血液酸素センサ、検流計、筋電図、及び任意の他の生理学的センサのうちの一つであるシステム。
【請求項６】
請求項２記載のシステムであって、前記統合センサ・ヘッドセットが、
一つ又はそれ以上の軸加速度計、
一つ又はそれ以上のＥＥＧ電極、
一つ又はそれ以上の心拍数センサ、
及び、処理ユニット、
のうちの一つ又はそれ以上を備えるシステム。
【請求項７】
請求項１記載のシステムであって、前記生理学的データが、心拍数、ＥＥＧ信号、瞬き率、呼吸、動作のうちの一つ又はそれ以上であるシステム。
【請求項８】
請求項１記載のシステムであって、前記生理学的反応が、思考、嗜好、関与、没頭、肉体的関与、誘意性、及び生気のうちの一つ又はそれ以上であるシステム。
【請求項９】
請求項１記載のシステムであって、前記一致性モジュールが、更に、前記特定の一つのイベントの前記複数の視聴者それぞれから測定された前記生理学的データを記録するよう動作可能であるシステム。
【請求項１０】
請求項１記載のシステムであって、前記一致性モジュールが、更に、前記特定の一つのイベントの時間期間に基づいて、測定された前記生理学的データの高い又は低い周波数成分を取り除くよう動作可能であるシステム。
【請求項１１】
請求項１記載のシステムであって、前記一致性モジュールが、更に、前記複数の視聴者からの前記特定の一つのイベントの期間に渡る前記生理学的反応の標準偏差、及び／又は前記生理学的反応の微分係数の標準偏差に基づいて、前記生理学的反応の前記一致性を計算するよう動作可能であるシステム。
【請求項１２】
請求項１記載のシステムであって、
前記一致性モジュールが、更に、
前記生理学的反応の類似性に基づいて、前記複数の視聴者からの前記特定の一つのイベントに対する前記生理学的反応を、複数の予め定義されたカテゴリにビニングし、
前記複数の予め定義されたカテゴリのそれぞれにおいて、前記生理学的反応の割合に基づいて、前記生理学的反応の前記一致性を計算する
よう動作可能であるシステム。
【請求項１３】
請求項１２記載のシステムであって、前記複数の予め定義されたカテゴリが、非常に肯定的、肯定的、変化なし、否定的、非常に否定的のうちの一つ又はそれ以上を含むシステム。
【請求項１４】
請求項１２記載のシステムであって、前記一致性モジュールが、更に、前記生理学的反応の大部分が前記複数の予め定義されたカテゴリのうちの一つのみ（又は複数）にあてはまる場合に、前記特定の一つのイベントを高く（又は低く）評価するよう動作可能であるシステム。
【請求項１５】
請求項１記載のシステムであって、前記一致性モジュールが、更に、前記複数の視聴者の大部分が前記イベントについて同様に（又は異なるように）感じている場合に、前記特定の一つのイベントを高く（又は低く）評価するよう動作可能であるシステム。
【請求項１６】
請求項１記載のシステムであって、前記一致性モジュールが、更に、前記メディアの複数のイベントの評価に基づいて、前記メディアを評価するよう動作可能であるシステム。
【請求項１７】
請求項１記載のシステムであって、前記一致性モジュールが、更に、絶対スコア、比較対象メディアに対する相対スコア、及び等級付きスコアのうちの一つ又はそれ以上を用いて、前記特定の一つのイベント及び／又は前記メディアを評価するよう動作可能であるシステム。
【請求項１８】
請求項１記載のシステムであって、前記一致性モジュールが、更に、
前記複数の視聴者を、人種、性別、年齢、人口統計、収入、習慣及び興味のうちの一つ又はそれ以上によりグループ化し、
前記複数の視聴者のそのようなグループ化に従って、前記特定の一つのイベント及び／又は前記メディアの前記評価を関連付け、及び／又は評価する
よう動作可能であるシステム。
【請求項１９】
生理学的反応の一致性に基づくメディアの評価を支持する方法であって、
前記メディアの複数のイベントを視聴している複数の視聴者それぞれから生理学的データを測定するステップと、
前記複数のイベントのうちの特定の一つを視聴する前記複数の視聴者それぞれから測定された前記生理学的データに基づいて、生理学的反応を導き出すステップと、
前記複数の視聴者からの前記特定の一つのイベントに対する前記生理学的反応の一致性を計算するステップと、
前記複数の視聴者からの前記生理学的反応の前記一致性に基づいて、前記特定の一つのイベント及び／又は前記メディアを評価するステップと、
を備える方法。
【請求項２０】
請求項１９記載の方法であって、更に、前記複数の視聴者からの前記特定の一つのイベントの期間に渡る前記生理学的反応の標準偏差、及び／又は前記生理学的反応の微分係数の標準偏差に基づいて、前記生理学的反応の前記一致性を計算するステップを備える方法。
【請求項２１】
請求項１９記載の方法であって、更に、
前記生理学的反応の類似性に基づいて、前記複数の視聴者からの前記特定の一つのイベントに対する前記生理学的反応を、複数の予め定義されたカテゴリにビニングするステップと、
前記複数の予め定義されたカテゴリのそれぞれにおいて、前記生理学的反応の割合に基づいて、前記生理学的反応の前記一致性を計算するステップと、
を備える方法。
【請求項２２】
請求項２１記載の方法であって、更に、前記生理学的反応の大部分が前記複数の予め定義されたカテゴリのうちの一つのみ（又は複数）にあてはまる場合に、前記特定の一つのイベントを高く（又は低く）評価するステップを備える方法。